(57)【要約】【課題】容量の少ない電池を使用しても対応可能な撮像装置、撮像方法及びその方法をコンピュータに実行させるプログラムを記録した記録媒体を提供する。【解決手段】入力した画像のブレを検出し、電池の種類を検出し、電池の種類に応じて撮影待機時に常時ブレを補正する第１のブレ補正モードか、撮影開始時にのみブレを補正する第２のブレ補正モードかの切り替えを行うようにしたので、容量の少ない電池を使用しても電池寿命を長くすることができ、容量の少ない電池を使用しても対応可能となる。【選択図】図１
2007110516.tif 000002
【特許請求の範囲】
【請求項１】
ブレ補正を行う撮像装置において、
入力した画像のブレを検出するブレ検出手段と、
電池の種類を検出する電池種類検出手段と、
前記電池の種類に応じて撮影待機時に常時ブレを補正する第１のブレ補正モードか、撮影開始時にのみブレを補正する第２のブレ補正モードかを切り替える制御手段とを備えたことを特徴とする撮像装置。
【請求項２】
請求項１において、前記制御手段は、前記電池の残量を検出し、残量に応じて前記第１のブレ補正モードから前記第２のブレ補正モードに切り替えるようにしたことを特徴とする撮像装置。
【請求項３】
ブレ補正を行う撮像装置において、
入力した画像のブレを検出するブレ検出手段と、
撮影待機時に常時ブレを補正する第１のブレ補正モード及び撮影開始時にのみブレを補正する第２のブレ補正モードを有し、撮影待機時に入力した画像のデータをモニタ表示するモニタリング表示モードと、入力した画像のデータをモニタ表示しない省エネ表示モードとを選択可能とし、前記省エネ表示モードの場合、前記第１のブレ補正モードから前記第２のブレ補正モードに切り替える制御手段とを備えたことを特徴とする撮像装置。
【請求項４】
ブレ補正を行う撮像装置において、
入力した画像のブレを検出するブレ検出手段と、
電池の種類を検出する電池種類検出手段と、
電池の残量を検出する電池残量検出手段と、
撮影待機時に常時ブレを補正する第１のブレ補正モード及び撮影開始時にのみブレを補正する第２のブレ補正モードを有し、前記電池種類検出手段にて検出した電池種類と前記電池残量検出手段にて検出した電池残量とに応じて、前記第１のブレ補正モードもしくは前記第２のブレ補正モードに切り替える制御手段とを備えたことを特徴とする撮像装置。
【請求項５】
ブレ補正を行う撮像方法において、
入力した画像のブレを検出するブレ検出工程と、
電池の種類を検出する電池種類検出工程と、
前記電池の種類に応じて撮影待機時に常時ブレを補正する第１のブレ補正モードか、撮影開始時にのみブレを補正する第２のブレ補正モードかを切り替える制御工程とを備えたことを特徴とする撮像方法。
【請求項６】
請求項５において、前記制御工程は、前記電池の残量を検出し、残量に応じて前記第１のブレ補正モードから前記第２のブレ補正モードに切り替えることを特徴とする撮像方法。
【請求項７】
ブレ補正を行う撮像方法において、
入力した画像のブレを検出するブレ検出工程と、
撮影待機時に常時ブレを補正する第１のブレ補正モード及び撮影開始時にのみブレを補正する第２のブレ補正モードを有し、撮影待機時に入力した画像のデータをモニタ表示するモニタリング表示モードと、入力した画像のデータをモニタ表示しない省エネ表示モードとを選択可能とし、前記省エネ表示モードの場合、前記第１のブレ補正モードから前記第２のブレ補正モードに切り替える制御工程とを備えたことを特徴とする撮像方法。
【請求項８】
ブレ補正を行う撮像方法において、
入力した画像のブレを検出するブレ検出工程と、
電池の種類を検出する電池種類検出工程と、
電池の残量を検出する電池残量検出工程と、
撮影待機時に常時ブレを補正する第１のブレ補正モード及び撮影開始時にのみブレを補正する第２のブレ補正モードを有し、前記電池種類検出手段にて検出した電池種類と前記電池残量検出工程にて検出した電池残量とに応じて、前記第１のブレ補正モードもしくは前記第２のブレ補正モードに切り替える制御工程とを備えたことを特徴とする撮像方法。
【請求項９】
請求項５から８のいずれか１項に記載された方法をコンピュータに実行させるプログラムを記録したことを特徴とする記録媒体。
【発明の詳細な説明】
【技術分野】
【０００１】
本発明は、ブレ補正を行う撮像装置、撮像方法及びその方法をコンピュータに実行させるプログラムを記録した記録媒体に関する。
【背景技術】
【０００２】
近年、ジャイロセンサを搭載し、手ブレを検出して補正することができるカメラが市販されている。このようなブレ補正可能なカメラにおいて、常時手ブレ補正を行うようにモードを設定できるものがある（例えば、特許文献１参照。）。
【特許文献１】特開２００１−２６８４２９号公報
【発明の開示】
【発明が解決しようとする課題】
【０００３】
しかしながら、上述した従来技術では、常時手ブレ補正を行うと、手ブレ検出回路、及び手ブレ補正回路の駆動により電池の消耗が早くなり、例えば市販の単３電池が使用可能な場合、リチウム電池（リチウムイオン電池とも言う）の場合に比較して、すぐに電池容量が低下してしまい撮影できなくなってしまうことがあった。
【０００４】
そこで、本発明の目的は、容量の少ない電池を使用しても対応可能な撮像装置、撮像方法及びその方法をコンピュータに実行させるプログラムを記録した記録媒体を提供することにある。
【課題を解決するための手段】
【０００５】
上記課題を解決するため、請求項１記載の発明は、ブレ補正を行う撮像装置において、入力した画像のブレを検出するブレ検出手段と、電池の種類を検出する電池種類検出手段と、前記電池の種類に応じて撮影待機時に常時ブレを補正する第１のブレ補正モードか、撮影開始時にのみブレを補正する第２のブレ補正モードかを切り替える制御手段とを備えたことを特徴とする。
【０００６】
請求項１記載の発明によれば、入力した画像のブレを検出するブレ検出手段と、電池の種類を検出する電池種類検出手段と、電池の種類に応じて撮影待機時に常時ブレを補正する第１のブレ補正モードか、撮影開始時にのみブレを補正する第２のブレ補正モードかを切り替える制御手段とを備えたことにより、容量の少ない電池を使用しても消費電力が少なくなるように制御するので、電池寿命を長くすることができ、容量の少ない電池を使用しても対応可能となる。
【０００７】
請求項２記載の発明は、請求項１において、制御手段は、電池の残量を検出し、残量に応じて第１のブレ補正モードから第２のブレ補正モードに切り替えるようにしたことを特徴とする。
【０００８】
請求項２記載の発明によれば、制御手段は、電池の残量を検出し、残量に応じて第１のブレ補正モードから第２のブレ補正モードに切り替えるようにしたことによって、容量の少ない電池を使用してもより消費電力が少なくなるように制御するので、電池寿命を長くすることができ、容量の少ない電池を使用しても対応可能となる。
【０００９】
請求項３記載の発明は、ブレ補正を行う撮像装置において、入力した画像のブレを検出するブレ検出手段と、撮影待機時に常時ブレを補正する第１のブレ補正モード及び撮影開始時にのみブレを補正する第２のブレ補正モードを有し、撮影待機時に入力した画像のデータをモニタ表示するモニタリング表示モードと、入力した画像のデータをモニタ表示しない省エネ表示モードとを選択可能とし、前記省エネ表示モードの場合、前記第１のブレ補正モードから前記第２のブレ補正モードに切り替える制御手段とを備えたことを特徴とする。
【００１０】
請求項３記載の発明によれば、入力した画像のブレを検出するブレ検出手段と、撮影待機時に常時ブレを補正する第１のブレ補正モード及び撮影開始時にのみブレを補正する第２のブレ補正モードを有し、撮影待機時に入力した画像のデータをモニタ表示するモニタリング表示モードと、入力した画像のデータをモニタ表示しない省エネ表示モードとを選択可能とし、省エネ表示モードの場合、第１のブレ補正モードから第２のブレ補正モードに切り替える制御手段とを備えたことにより、消費電力が少なくなるように制御するので、容量の少ない電池を使用しても電池寿命を長くすることができ、容量の少ない電池を使用しても対応可能となる。
【００１１】
請求項４記載の発明は、ブレ補正を行う撮像装置において、入力した画像のブレを検出するブレ検出手段と、電池の種類を検出する電池種類検出手段と、電池の残量を検出する電池残量検出手段と、撮影待機時に常時ブレを補正する第１のブレ補正モード及び撮影開始時にのみブレを補正する第２のブレ補正モードを有し、前記電池種類検出手段にて検出した電池種類と前記電池残量検出手段にて検出した電池残量とに応じて、前記第１のブレ補正モードもしくは前記第２のブレ補正モードに切り替える制御手段とを備えたことを特徴とする。
【００１２】
請求項４記載の発明によれば、入力した画像のブレを検出するブレ検出手段と、電池の種類を検出する電池種類検出手段と、電池の残量を検出する電池残量検出手段と、撮影待機時に常時ブレを補正する第１のブレ補正モード及び撮影開始時にのみブレを補正する第２のブレ補正モードを有し、電池種類検出手段にて検出した電池種類と電池残量検出手段にて検出した電池残量とに応じて、第１のブレ補正モードもしくは第２のブレ補正モードに切り替える制御手段とを備えたことにより、消費電力が少なくなるように制御するので、電池残量が少なくなってからも、すぐに撮影できなくなってしまうことがなくなり、容量の少ない電池を使用しても対応可能となる。
【００１３】
請求項５記載の発明は、ブレ補正を行う撮像方法において、入力した画像のブレを検出するブレ検出工程と、電池の種類を検出する電池種類検出工程と、前記電池の種類に応じて撮影待機時に常時ブレを補正する第１のブレ補正モードか、撮影開始時にのみブレを補正する第２のブレ補正モードかを切り替える制御工程とを備えたことを特徴とする。
【００１４】
請求項５記載の発明によれば、入力した画像のブレを検出するブレ検出工程と、電池の種類を検出する電池種類検出工程と、電池の種類に応じて撮影待機時に常時ブレを補正する第１のブレ補正モードか、撮影開始時にのみブレを補正する第２のブレ補正モードかを切り替える制御工程とを備えたことにより、容量の少ない電池を使用しても消費電力が少なくなるように制御するので、電池寿命を長くすることができ、容量の少ない電池を使用しても対応可能となる。
【００１５】
請求項６記載の発明は、請求項５において、前記制御工程は、前記電池の残量を検出し、残量に応じて前記第１のブレ補正モードから前記第２のブレ補正モードに切り替えることを特徴とする。
【００１６】
請求項６記載の発明によれば、電池の残量を検出し、残量に応じて第１のブレ補正モードから第２のブレ補正モードに切り替えることによって、容量の少ない電池を使用してもより消費電力が少なくなるように制御するので、電池寿命を長くすることができ、容量の少ない電池を使用しても対応可能となる。
【００１７】
請求項７記載の発明は、ブレ補正を行う撮像方法において、入力した画像のブレを検出するブレ検出工程と、撮影待機時に常時ブレを補正する第１のブレ補正モード及び撮影開始時にのみブレを補正する第２のブレ補正モードを有し、撮影待機時に入力した画像のデータをモニタ表示するモニタリング表示モードと、入力した画像のデータをモニタ表示しない省エネ表示モードとを選択可能とし、前記省エネ表示モードの場合、前記第１のブレ補正モードから前記第２のブレ補正モードに切り替える制御工程とを備えたことを特徴とする。
【００１８】
請求項７記載の発明によれば、入力した画像のブレを検出するブレ検出工程と、撮影待機時に常時ブレを補正する第１のブレ補正モード及び撮影開始時にのみブレを補正する第２のブレ補正モードを有し、撮影待機時に入力した画像のデータをモニタ表示するモニタリング表示モードと、入力した画像のデータをモニタ表示しない省エネ表示モードとを選択可能とし、省エネ表示モードの場合、第１のブレ補正モードから第２のブレ補正モードに切り替える制御工程とを備えたことにより、消費電力が少なくなるように制御するので、容量の少ない電池を使用しても電池寿命を長くすることができ、容量の少ない電池を使用しても対応可能となる。
【００１９】
請求項８記載の発明は、ブレ補正を行う撮像方法において、入力した画像のブレを検出するブレ検出工程と、電池の種類を検出する電池種類検出工程と、電池の残量を検出する電池残量検出工程と、撮影待機時に常時ブレを補正する第１のブレ補正モード及び撮影開始時にのみブレを補正する第２のブレ補正モードを有し、前記電池種類検出手段にて検出した電池種類と前記電池残量検出工程にて検出した電池残量とに応じて、前記第１のブレ補正モードもしくは前記第２のブレ補正モードに切り替える制御工程とを備えたことを特徴とする。
【００２０】
請求項８記載の発明によれば、入力した画像のブレを検出するブレ検出工程と、電池の種類を検出する電池種類検出工程と、電池の残量を検出する電池残量検出工程と、撮影待機時に常時ブレを補正する第１のブレ補正モード及び撮影開始時にのみブレを補正する第２のブレ補正モードを有し、電池種類検出手段にて検出した電池種類と電池残量検出工程にて検出した電池残量とに応じて、第１のブレ補正モードもしくは第２のブレ補正モードに切り替える制御工程とを備えたことにより、消費電力が少なくなるように制御するので、電池残量が少なくなってからも、すぐに撮影できなくなってしまうことがなくなり、容量の少ない電池を使用しても対応可能となる。
【００２１】
請求項９記載の発明は、請求項５から８のいずれか１項に記載された方法をコンピュータに実行させるプログラムを記録したことを特徴とする。
【００２２】
請求項９記載の発明によれば、請求項５から８のいずれか１項に記載された方法をコンピュータに実行させるプログラムを記録したことにより、ブレ補正モードを切り替えるようにしたので、容量の少ない電池を使用しても電池寿命を長くすることができ、容量の少ない電池を使用しても対応可能となる。
【発明の効果】
【００２３】
本発明によれば、入力した画像のブレを検出し、電池の種類を検出し、電池の種類に応じて撮影待機時に常時ブレを補正する第１のブレ補正モードか、撮影開始時にのみブレを補正する第２のブレ補正モードかの切り替えを行うようにしたので、容量の少ない電池を使用しても電池寿命を長くすることができ、容量の少ない電池を使用しても対応可能となる。
【発明を実施するための最良の形態】
【００２４】
〔実施形態１〕
以下に添付図面を参照して、この発明に係る撮像装置、撮像方法、およびその方法をコンピュータに実行させるプログラムを記録した記録媒体の好適な実施の形態を詳細に説明する。
まず、本実施の形態に係る撮像装置の構成について説明する。
図１は、本実施の形態に係る撮像装置の構成を示すブロック図である。
同図に示すように、本実施の形態に係る撮像装置１は、レンズ２と、絞り３と、撮像素子４と、Ａ／Ｄ（アナログ／デジタル）変換器５と、画像処理部６と、画像記録部７と、画像表示部８と、操作指令部９と、撮影モード選択部１０と、ブレ検出手段としての手ブレ検出部１１と、像ブレ補正部１２と、静止画モード補正量演算部１３と、動画モード補正量演算部１４と、切替手段としての制御部１５とを備えて構成される。
【００２５】
そして概略的には、撮影モード選択部１０の選択結果に応じて、静止画モード補正量演算部１３または動画モード補正量演算部１４において、手ブレ検出部１１によって検出された手ブレに基づいて像ブレ補正部１２の補正量を演算し、この補正量に基づいて像ブレ補正部１２を駆動することによって像ブレを補正する。
【００２６】
図１において、レンズ２は、被写体像を撮像素子４上に結像するためのレンズであり、絞り３は、被写体像の光量を制限するためのものである。撮像素子４は、レンズ２および絞り３を通過する被写体像を電気信号に変換して画像信号として出力する回路であり、具体的には、ＣＣＤ（電荷結合素子）を用いることができる。
Ａ／Ｄ変換器５は、撮像素子４から入力される画像信号をデジタル信号化して画像処理に適した画像データとして出力する回路であり、画像処理部６は、Ａ／Ｄ変換器５から入力される画像データに対して各種の補正処理や圧縮処理をおこなう回路である。
【００２７】
画像記録部７は、画像処理部６によって画像処理がおこなわれた画像データを記録するメモリである。画像表示部８は、撮像素子４によって現在取り込まれている画像（スルー画像）や、画像記録部７によって記録される直前の画像、画像記録部７によって記録されている画像などを表示するディスプレイであり、具体的には、ＬＣＤ（液晶表示素子）などを用いることができる。また、画像表示部８は、バックライトを消すことによって消費電力をおさえることができる（省エネ表示モード）。尚、省エネ表示モードを選択した場合には、撮影時にはモニタではなく、図示しない光学ファインダで被写体を確認することができる。
【００２８】
操作指令部９は、画像記録部７における記録の開始／停止／削除や、画像表示部８における画像の再生、レリーズなどの撮像装置１の操作を指令するユーザーインタフェイスである。
撮影モード選択部１０は、静止画を撮像する静止画撮影モードまたは動画を撮像する動画撮影モードのいずれかを選択するユーザーインタフェイスである。手ブレ検出部１１は、撮像装置１本体の手ブレを検出する検出部である。
【００２９】
ここで、本実施の形態における手ブレ検出部１１の具体的構成を説明する。
図２は、図１に示した手ブレ検出部１１の具体的構成を示すブロック図である。
図２に示すように、本実施の形態における手ブレ検出部１１は、ジャイロ２１と、ローパスフィルタ２２と、ハイパスフィルタ２３と、増幅器２４とを備えて構成される。
同図において、ジャイロ２１は、手ブレによるある軸方向の回転角速度を検出する検出部である。
なお、本実施の形態では、ある軸方向の回転角速度を検出するものを示したが、撮像面に平行で互いに略直行する２軸の周りの回転角変位に関する物理量を検出するものや、光軸周りの回転角変位に関する物理量を検出するもの、他の２軸のうちの少なくとも一方の検出を併せ持ったものでもよい。
【００３０】
また、ローパスフィルタ２２およびハイパスフィルタ２３は、所定範囲の周波数帯域の回転角速度のみを通過させ、ノイズやオフセット混入を除去する濾波器であり、増幅器２４は、このローパスフィルタ２２およびハイパスフィルタ２３を通過した回転角速度の信号を増幅する回路である。
なお、本実施の形態では、図１に示す静止画モード補正量演算部１３においてハイパスフィルタを設けない構成としたので、このローパスフィルタ２２およびハイパスフィルタ２３のカットオフ周波数は、静止画撮影モードの補正量演算に適した値（広範囲の周波数帯域を通過させる値）に設定される。
図１において、像ブレ補正部１２は、静止画モード補正量演算部１３または動画モード補正量演算部１４によって演算された静止画モード補正量または動画モード補正量に基づいて像ブレを補正する補正部である。
【００３１】
本実施の形態では、撮像素子４を補正量に相当する距離だけ平行移動する像ブレ補正部１２を示したが、本発明はこれに限定されるものではなく、補正レンズをシフトさせるものや、可変頂角プリズムを用いるものでもよい。また、静止画撮影モードと動画撮影モードとで像ブレ補正部１２を異なる構成にしてもよく、電子式の像ブレ補正方式を用いてもよい。
静止画モード補正量演算部１３は、撮影モード選択部１０によって静止画撮影モードが選択された場合に、手ブレ検出部１１によって検出された手ブレに基づいて、像ブレ補正部１２の補正量を演算する回路である。
【００３２】
ここで、本実施の形態における静止画モード補正量演算部１３の具体的構成について説明する。
図３は、図１に示した静止画モード補正量演算部１３の具体的構成を示すブロック図である。
図３に示すように、本実施の形態における静止画モード補正量演算部１３は、積分器３１と、乗算器３２とを備えて構成される。
積分器３１は、手ブレ検出部１１によって検出された回転角速度を手ブレ補正開始時点から積分して、手ブレ補正開始時点からの撮像装置１本体の回転角変位を算出する回路である。具体的には、以下に示す数式（１）に基づいて回転角変位を算出する。
【００３３】
ｉ（ｔ）←ｉ（ｔ）×Ｔ＋ｉ（ｔ−１）                             …（１）
（ただし、ｉ（ｔ）：時間ｔにおける回転角速度、Ｔ：サンプリング間隔）
また、乗算器３２は、積分器３１から入力された回転角変位に所定の係数を乗じて、静止画モード補正量を算出する回路である。具体的には、以下に示す数式（２）に基づいて静止画モード補正量を算出する。
【００３４】
ｏ（ｔ）＝Ａ×ｉ（ｔ）                                           …（２）
（ただし、ｏ（ｔ）：静止画モード補正量、Ａ：所定係数）
なお、本実施の形態では、図２に示したように、手ブレ検出部１１におけるローパスフィルタ２２およびハイパスフィルタ２３のカットオフ周波数を、静止画撮影モードの補正量演算に適した値に設定するので、静止画モード補正量演算部１３は、ハイパスフィルタを備えない構成となる。
【００３５】
図１において、動画モード補正量演算部１４は、撮影モード選択部１０によって動画撮影モードが選択された場合に、手ブレ検出部１１によって検出された手ブレに基づいて、像ブレ補正部１２の補正量を演算する回路である。
【００３６】
ここで、本実施の形態における動画モード補正量演算部１４の具体的構成について説明する。
図４は、図１に示した動画モード補正量演算部１４の具体的構成を示すブロック図である。
図４に示すように、本実施の形態における動画モード補正量演算部１４は、ハイパスフィルタ４１と、積分器４２と、乗算器４３とを備えて構成される。ハイパスフィルタ４１は、手ブレ検出部１１によって検出された回転角速度のうちの所定の高周波数帯域の回転角速度のみを通過させる濾波器である。
なお、このハイパスフィルタ４１のカットオフ周波数は、図２に示したハイパスフィルタ２３のカットオフ周波数よりも高周波数側にある動画撮影モードの補正量演算に適した値（大振幅の低周波数帯域を通過させない値）に設定される。具体的には、以下に示す数式（３）に基づいてハイパスフィルタ４１を通過する回転角速度が算出される。
【００３７】
ｊ（ｔ）＝Ｂ×｛ｉ（０），・・・，ｉ（Ｎ−２）｝t                …（３）
（ただし、ｊ（ｔ）：時間ｔにおけるハイパスフィルタ４１を通過した回転角速度、Ｂ：ハイパスフィルタ４１を形成する行ベクトル、ｉ（０）〜ｉ（Ｎ−２）：手ブレ検出部１１によって検出された時間ｔ＝０〜ｔ＝Ｎ−２における回転角速度）
【００３８】
また、積分器４２は、ハイパスフィルタ４１を通過した回転角速度を手ブレ補正開始時点から積分して、手ブレ補正開始時点からの撮像装置１本体の回転角変位を算出する回路である。具体的には、以下に示す数式（４）に基づいて回転角変位を算出する。
【００３９】
ｊ（ｔ）←ｊ（ｔ）×Ｔ＋ｊ（ｔ−１）                              …（４）
（ただし、ｊ（ｔ）：ハイパスフィルタ４１を通過した時間ｔにおける回転角速度、Ｔ：サンプリング間隔）
【００４０】
また、乗算器４３は、積分器４２から入力された回転角変位に所定の係数を乗じて、動画モード補正量を算出する回路である。具体的には、以下に示す数式（５）に基づいて動画モード補正量を算出する。
【００４１】
ｏ（ｔ）＝Ｃ×ｉ（ｔ）                                            …（５）
（ただし、ｏ（ｔ）：動画モード補正量、Ｃ：所定係数）
【００４２】
なお、本実施の形態では、静止画モード補正量演算部１３および動画モード補正量演算部１４において、ある軸周りの回転角速度に基づいて像ブレ補正部１２の補正量を演算する場合を示したが、本発明はこれに限定されるものではなく、他の軸周りの回転角速度をも検出して補正量を演算してもよい。このように２軸以上の回転角速度を用いて演算する場合、並列的に演算をおこなうのが望ましいが、逐次的に演算をおこなってもよい。
【００４３】
図１０は図１に示した像ブレ補正部１２の補正機構を示した概略図である。
支持板６０には左右方向アクチュエータ６１が固定され、左右方向アクチェータ６１の駆動軸６２が撮像素子支持板６３に結合されている。左右方向アクチュエータ６１を駆動すると左右方向（矢印Ｐ１方向）に撮像素子支持板６３を移動させることができる。
上下方向アクチェータ６４は撮像装置本体に固定され、上下方向アクチェータ６４の駆動軸６５が支持板６０に結合されている。上下方向アクチュエータ６４を駆動すると上下方向（矢印Ｐ２方向）に支持板６０を移動させることができる。支持板６０を移動させることにより前述した補正量ｏ（ｔ）に応じて撮像素子４を移動させて像ブレを補正することができる。
【００４４】
図１において、制御部１５は、撮像装置１の各部を制御する処理部である。たとえば、撮影モード選択部１０によって静止画撮影モードが選択されている場合には、操作指令部９におけるレリーズボタンが押下されると、手ブレ検出部１１に像ブレ補正開始信号を送出し、撮像素子４への露光が終了すると、像ブレ補正部１２に像ブレ補正終了信号を送出することによって、静止画撮影モードの像ブレ補正処理をおこなう。
制御部１５は電源ＣＮＴ信号により、像ブレ補正処理中に、手ブレ検出部、像ブレ補正部の電子回路の電源をＯＮし、それ以外の場合には電源をＯＦＦできるようになっている。
また、操作指令部９におけるボタンの操作によって、撮影モード選択部１０は、静止画モード、動画モードが設定される。電源がＯＮされて静止画撮影モード、または、動画撮影モードが設定されると、撮像素子から得た画像を画像表示装置に常時表示するモニタリングが開始される。
【００４５】
モニタリングでは、静止画像モードであっても、常時、動画モードの像ブレ補正が行われ、手ブレ検出部や像ブレ検出部の電子回路により、電力が消費される（第１のブレ補正モード）。
そして、操作指令部９におけるボタン操作によって、レリーズボタン（もしくは記録開始ボタン）が押下されると、静止画モードの像ブレ補正処理をおこなう。
また、動画撮影モードが選択されている場合には、レリーズボタン（もしくは記録開始ボタン）が押下されると、動画撮影モードの像ブレ補正処理を常時行い、次に再度レリーズボタン（もしくは記録停止ボタン）が押下されると、動画撮影モードの像ブレ補正を終了する。
【００４６】
また、制御部１５は電池の種類に応じて、モニタリングにおいて、像ブレ補正を実行するか否かを自動的に選択する。本実施形態の撮像装置には、例えば専用リチウム電池、市販の単３電池がセットできる。
【００４７】
図５（ａ）は市販の単３電池を電池種類／残量検出部にセットしたときの図であり、図５（ｂ）は専用リチウム電池をセットしたときの図である。
図５（ａ）に示すように電池検出センサ５０の発光部５１から受光部５２へは光が到達し、図５（ｂ）に示すように電池検出センサ５０の発光部５１から受光部５２へは光が到達しない。
この発光部５１から受光部５２への光の到達の有無により電池種類／残量検出部１６は、単３電池５３がセットされているか、リチウム電池５４がセットされているかを検出できる。尚、単３電池５３は発光部５１からの光が受光部５２へ到達できるような間隔を隔てて配置されていることは言うまでもない。
【００４８】
単３電池５３がセットされた場合は、制御部１５はモニタリングにおいて動画撮影モードの像ブレ補正処理を実行しない。このように像ブレ補正処理を実行しないことにより手ブレ検出部や像ブレ補正部の電子回路が動作しないため、消費電力が少なくなる。
【００４９】
像ブレ補正処理を実行した場合、像ブレ補正処理における電力消費は、角速度を検出するジャイロの電力消費、像ブレ補正で撮像素子をブレを打ち消す補正方向に移動する像ブレ補正部１２の圧電セラミックなどを使用したアクチュエータの電力消費が主なものである。
しかし、動画モードの像ブレ補正処理を行うと、これらを常時駆動するための電力が消費されることになる。例えば、手ブレの振動をＶA[Ｈｚ]として、これを補正するために、１秒間にＶAセットの像ブレ補正を行うとき、１セットの像ブレ補正におけるジャイロ及びアクチュエータの消費電力をＰB[ｍＷ]とすると、１秒間にＷ[ｍＷ]＝ＶA×ＰBの電力が消費されることになる。
従って、本発明によりこのＷ[ｍＷ]の電力が省電力化できるのである。
また、本実施形態の撮像装置では、操作指令部９におけるボタン押下により、画像表示部のバックライトを消す省電力モード（省エネモード）を備える。この省電力モードの場合、電池種類／残量検出部１６の検出内容にかかわらず、モニタリング中の動画撮影モードの像ブレ補正処理を実行しない。従って、手ブレ検出部、像ブレ補正部の回路が動作しないため、消費電力が少なくなる（第２のブレ補正モード）。
【００５０】
次に本発明の主要な制御を示す、図６のフローチャートについて詳細に説明する。
図６は図１に示した撮像装置の一実施形態を示すフローチャートである。
ステップＳ１で電池種類／残量検出部によって、電池が単３電池か否かを検出する。具体的には前述したように、電池種類／残量検出部１６により、電池検出センサの受光部へ発光部からの光が到達しているかを検出し、到達している場合は単３電池がセットされていると判断し、到達していない場合は、リチウム電池がセットされていると判断する。
【００５１】
単３電池であれば（ステップＳ１／Ｙｅｓ）ステップＳ２に進み、単３電池フラグをＯＮしステップＳ４に進む。単３電池でなければ（ステップＳ１／Ｎｏ）ステップＳ３に進み、単３電池フラグをＯＦＦし、ステップＳ４に進む。
ステップＳ４では撮影モード設定を行う。具体的には、操作指令部９におけるボタン押下により、静止画撮影モードや動画撮影モードを決定したり、画像表示部のバックライトを消す省電力モードを決定したりする。
【００５２】
次にステップＳ５に進み、単３電池フラグがＯＮか、または、省電力モードがＯＮか否かをチェックする。単３電池フラグがＯＮか、または、省電力モードがＯＮであれば（ステップＳ５／Ｙｅｓ）、ステップＳ７に進み、単３電池フラグがＯＮでないか、または、省電力モードがＯＮでなければ（ステップＳ５／Ｎｏ）ステップＳ６にて動画モードの像ブレ補正を行う。
【００５３】
次にステップＳ７に進み、レリーズボタンが押されたか否かをチェックする。レリーズボタンが押されていれば（ステップＳ７／Ｙｅｓ）、ステップＳ８に進み静止画モードか否かをチェックする。静止画モードであれば（ステップＳ８／Ｙｅｓ）ステップＳ９に進み、静止画モードの像ブレ補正を実行しステップＳ４に戻る。
ステップＳ８にて静止画モードでなければ（ステップＳ８／Ｎｏ）ステップＳ１０に進み、動画モードの像ブレ補正を実行しステップＳ４に戻る。
【００５４】
図７は、図６のステップＳ６、Ｓ９、Ｓ１０で呼び出される、像ブレ補正のフローチャートである。
像ブレ補正の処理は、回路電源をＯＮ（ステップＳ１１）→  角速度の検出（ステップＳ１２）→  回転角変位の算出（ステップＳ１３）→  補正量の算出（ステップＳ１４）→  補正量の出力（ステップＳ１５）→  回路電源をＯＦＦ（ステップＳ１６）→  終了の流れで処理が行われる。
静止画モード、動画モードで異なる処理には、例えば、動画モードで、角速度の検出で検出したデータの低域をカットする処理などがある。
【００５５】
ところで、電池の種類だけでなく、電池残量が所定以下になった場合にも、動画モードの像ブレ補正を禁止してもよい。
図８は、図１に示した電池種類／残量検出部１６で検出する電池電圧の時間経過による電圧低下を示したグラフである。横軸が時間を示し、縦軸が電圧を示す。実線ＬＡがリチウム電池の様子を示し、実線ＬＢが単３電池（単３アルカリ乾電池）の様子を示す。
【００５６】
同図において、フル充電状態から、動作時間が増えるにつれ序々に電圧が低下し、電池残量が少なくなっていく様子が示されている。この電圧は、電池種類／残量検出部１６により、レベル３、レベル２、レベル１の３段階のどのレベルであるかが判定される。
例えば、レベル３は１．０Ｖ以上であり、レベル２は１．０Ｖより小さく０．８Ｖ以上であり、レベル１は０．８Ｖであるというように３段階に判定する。この電池電圧レベルと、前述と同様の方法による電池種別判定により、表１に示す＜テーブル１＞から、動画モードの像ブレ補正を実行するか禁止するかを読み出し、禁止の場合に動画モードの像ブレ補正を実行しないことにより消費電力を低減し、電池を交換しなくても、より長く撮像装置を使用できるようにする。
【表１】
2007110516.tif 000003
【００５７】
＜テーブル１＞では、単３電池の場合、レベル３だけは動画モードの像ブレ補正を実行するが、レベル２、レベル１では禁止し、少し電圧が低下してきた時点で消費電力を低減する。リチウム電池の場合は、レベル３、レベル２では動画モードの像ブレ補正を実行し、レベル１まで低下したときにはじめて禁止し、消費電力を低減する。
【００５８】
これは、図８の実線ＬＢのように、リチウム電池の場合には、レベル２以下でも、単３電池より電圧低下が遅く長持ちし、一定時間、カメラが高い消費電力下でも動作することが可能なためである。
尚、本実施形態では専用のリチウム電池及び市販の単３電池の場合で説明したが、本発明はこれに限定されず、専用のニッケルカドミウム電池、小型シール鉛蓄電池、市販の単１電池、単２電池、単４電池、単５電池等の乾電池の場合であってもよい。
【００５９】
〔実施形態２〕
次に本発明に係る撮像方法の他の実施形態を示す、図９のフローチャートについて詳細に説明する。
図９は図１に示した撮像装置の他の実施形態を示すフローチャートである。
ステップＳ２１で電池種類／残量検出部１６によって、単３電池かリチウム電池か否かの電池種別を判定する。
次にステップＳ２２に進み、電池種類／残量検出部１６によって、電池の電圧レベルを判定する。
次にステップＳ２３に進み、ステップＳ２１とステップＳ２２とで判定した電池種別と、電池電圧レベルとから、＜テーブル１＞を使用して、動画モードの像ブレ補正を補正実行するか、禁止するか否かを判定する。
次にステップＳ２４に進み、撮影モード設定を行う。具体的には、操作指令部９におけるボタン押下により、静止画撮影モードもしくは動画撮影モードを決定したり、画像表示部のバックライトを消す省電力モードを決定したりする。
【００６０】
次にステップＳ２５に進み、ステップＳ２３での動画モードの像ブレ補正実行判定が、補正実行か、または、省電力モードがＯＮであるか否をチェックする。
補正実行か、または、省電力モードがＯＮ（ステップＳ２５／Ｙｅｓ）であれば、ステップＳ２７に進み、省電力モードがＯＦＦ（ステップＳ２５／Ｎｏ）であればステップＳ２６にて動画モードの像ブレ補正を行う。
次にステップＳ２７に進み、レリーズボタンが押されたか否かをチェックする。レリーズボタンが押されていれば（ステップＳ２７／Ｙｅｓ）、ステップＳ２８に進み静止画モードか否かをチェックする。
静止画モードであれば（ステップＳ２８／Ｙｅｓ）ステップＳ２９に進み、静止画モードの像ブレ補正を実行してステップＳ２１に戻る。
ステップＳ２８にて静止画モードでなければ（ステップＳ２８／Ｎｏ）ステップＳ１０に進み、動画モードの像ブレ補正を実行しステップＳ２４に戻る。
【００６１】
図１１は、図９のステップＳ２６、Ｓ２９、Ｓ３０で呼び出される、像ブレ補正のフローチャートである。
像ブレ補正の処理は、回路電源をＯＮ（ステップＳ３１）→  角速度の検出（ステップＳ３２）→  回転角変位の算出（ステップＳ３３）→  補正量の算出（ステップＳ３４）→  補正量の出力（ステップＳ３５）→  回路電源をＯＦＦ（ステップＳ３６）→  終了の流れで処理が行われる。
静止画モード、動画モードで異なる処理には、例えば、動画モードで、角速度の検出で検出したデータの低域をカットする処理などがある。
【００６２】
尚、上述する実施形態は、本発明の好適な実施形態であり、上記実施形態のみに本発明の範囲を限定するものではなく、本発明の要旨を逸脱しない範囲において種々の変更を施した形態での実施が可能である。例えば、本発明は静止画撮影機能を有するデジタルビデオカメラや、デジタルカメラ付き携帯電話やプログラムを記録した記録媒体にも適用できる。
【００６３】
記録媒体としては、例えば、フレキシブルディスク、ハードディスク、光ディスク、光磁気ディスク、フラッシュメモリ、ＣＤ−ＲＯＭ、ＣＤ−Ｒ、磁気テープ、不揮発性メモリカード、ＲＯＭ、ＥＥＰＲＯＭ等が挙げられる。
【００６４】
〔作用効果〕
請求項１記載の発明によれば、入力した画像のブレを検出するブレ検出手段と、電池の種類を検出する電池種類検出手段と、電池の種類に応じて撮影待機時に常時ブレを補正する第１のブレ補正モードか、撮影開始時にのみブレを補正する第２のブレ補正モードかを切り替える制御手段とを備えたことにより、容量の少ない電池を使用しても消費電力が少なくなるように制御するので、電池寿命を長くすることができ、容量の少ない電池を使用しても対応可能となる。
【００６５】
請求項２記載の発明によれば、制御手段は、電池の残量を検出し、残量に応じて第１のブレ補正モードから第２のブレ補正モードに切り替えるようにしたことによって、容量の少ない電池を使用してもより消費電力が少なくなるように制御するので、電池寿命を長くすることができ、容量の少ない電池を使用しても対応可能となる。
【００６６】
請求項３記載の発明によれば、入力した画像のブレを検出するブレ検出手段と、撮影待機時に常時ブレを補正する第１のブレ補正モード及び撮影開始時にのみブレを補正する第２のブレ補正モードを有し、撮影待機時に入力した画像のデータをモニタ表示するモニタリング表示モードと、入力した画像のデータをモニタ表示しない省エネ表示モードとを選択可能とし、省エネ表示モードの場合、第１のブレ補正モードから第２のブレ補正モードに切り替える制御手段とを備えたことにより、消費電力が少なくなるように制御するので、容量の少ない電池を使用しても電池寿命を長くすることができ、容量の少ない電池を使用しても対応可能となる。
【００６７】
請求項４記載の発明によれば、入力した画像のブレを検出するブレ検出手段と、電池の種類を検出する電池種類検出手段と、電池の残量を検出する電池残量検出手段と、撮影待機時に常時ブレを補正する第１のブレ補正モード及び撮影開始時にのみブレを補正する第２のブレ補正モードを有し、電池種類検出手段にて検出した電池種類と電池残量検出手段にて検出した電池残量とに応じて、第１のブレ補正モードもしくは第２のブレ補正モードに切り替える制御手段とを備えたことにより、消費電力が少なくなるように制御するので、電池残量が少なくなってからも、すぐに撮影できなくなってしまうことがなくなり、容量の少ない電池を使用しても対応可能となる。
【００６８】
請求項５記載の発明によれば、入力した画像のブレを検出するブレ検出工程と、電池の種類を検出する電池種類検出工程と、電池の種類に応じて撮影待機時に常時ブレを補正する第１のブレ補正モードか、撮影開始時にのみブレを補正する第２のブレ補正モードかを切り替える制御工程とを備えたことにより、容量の少ない電池を使用しても消費電力が少なくなるように制御するので、電池寿命を長くすることができ、容量の少ない電池を使用しても対応可能となる。
【００６９】
請求項６記載の発明によれば、電池の残量を検出し、残量に応じて第１のブレ補正モードから第２のブレ補正モードに切り替えることによって、容量の少ない電池を使用してもより消費電力が少なくなるように制御するので、電池寿命を長くすることができ、容量の少ない電池を使用しても対応可能となる。
【００７０】
請求項７記載の発明によれば、入力した画像のブレを検出するブレ検出工程と、撮影待機時に常時ブレを補正する第１のブレ補正モード及び撮影開始時にのみブレを補正する第２のブレ補正モードを有し、撮影待機時に入力した画像のデータをモニタ表示するモニタリング表示モードと、入力した画像のデータをモニタ表示しない省エネ表示モードとを選択可能とし、省エネ表示モードの場合、第１のブレ補正モードから第２のブレ補正モードに切り替える制御工程とを備えたことにより、消費電力が少なくなるように制御するので、容量の少ない電池を使用しても電池寿命を長くすることができ、容量の少ない電池を使用しても対応可能となる。
【００７１】
請求項８記載の発明によれば、入力した画像のブレを検出するブレ検出工程と、電池の種類を検出する電池種類検出工程と、電池の残量を検出する電池残量検出工程と、撮影待機時に常時ブレを補正する第１のブレ補正モード及び撮影開始時にのみブレを補正する第２のブレ補正モードを有し、電池種類検出手段にて検出した電池種類と電池残量検出工程にて検出した電池残量とに応じて、第１のブレ補正モードもしくは第２のブレ補正モードに切り替える制御工程とを備えたことにより、消費電力が少なくなるように制御するので、電池残量が少なくなってからも、すぐに撮影できなくなってしまうことがなくなり、容量の少ない電池を使用しても対応可能となる。
【００７２】
請求項９記載の発明によれば、請求項５から８のいずれか１項に記載された方法をコンピュータに実行させるプログラムを記録したことにより、ブレ補正モードを切り替えるようにしたので、容量の少ない電池を使用しても電池寿命を長くすることができ、容量の少ない電池を使用しても対応可能となる。
【産業上の利用可能性】
【００７３】
本発明は、ビデオカメラ、デジタルカメラ、デジタルカメラ付き携帯電話に利用が可能である。
【図面の簡単な説明】
【００７４】
【図１】本実施の形態に係る撮像装置の構成を示すブロック図である。
【図２】図１に示した手ブレ検出部１１の具体的構成を示すブロック図である。
【図３】図１に示した静止画モード補正量演算部１３の具体的構成を示すブロック図である。
【図４】図１に示した動画モード補正量演算部１４の具体的構成を示すブロック図である。
【図５】（ａ）は市販の単３電池を電池種類／残量検出部にセットしたときの図であり、（ｂ）は専用リチウム電池をセットしたときの図である。
【図６】図１に示した撮像装置の一実施形態を示すフローチャートである。
【図７】図６のステップＳ６、Ｓ９、Ｓ１０で呼び出される、像ブレ補正のフローチャートである。
【図８】図１に示した電池種類／残量検出部１６で検出する電池電圧の時間経過による電圧低下を示したグラフである。
【図９】図１に示した撮像装置の他の実施形態を示すフローチャートである。
【図１０】図１に示した像ブレ補正部１２の補正機構を示した概略図である。
【図１１】図９のステップＳ２６、Ｓ２９、Ｓ３０で呼び出される、像ブレ補正のフローチャートである。
【符号の説明】
【００７５】
１    撮像装置
２    レンズ
３    絞り
４    撮像素子
５    Ａ／Ｄ変換器
６    画像処理部
７    画像記録部
８    画像表示部
９    操作指令部
１０    撮影モード選択部
１１    手ブレ検出部
１２    像ブレ補正部
１３    静止画モード補正量演算部
１４    動画モード補正量演算部
１５    制御部
１６    電池種類／残量検出部
【図１】
2007110516.tif 000004
【図２】
2007110516.tif 000005
【図３】
2007110516.tif 000006
【図４】
2007110516.tif 000007
【図５】
2007110516.tif 000008
【図６】
2007110516.tif 000009
【図７】
2007110516.tif 000010
【図８】
2007110516.tif 000011
【図９】
2007110516.tif 000012
【図１０】
2007110516.tif 000013
【図１１】
2007110516.tif 000014